(57)【要約】  本発明は、飲料の冷却法と冷却用装置に関するもので、氷と水を入れる外側容器と、それに適応してその中に少なくとも一部が入るような内側容器から成る。内側容器と外側容器の間には空間が形成され、そこに標準の氷製造器／自動製氷販売器により作られた標準の大きさの氷片が蓄えられて、内側容器の中の飲料を冷たく保つことができる。一般に、本発明は氷片を保持するための外側容器と、外側容器の中に少なくともその一部が入って場所を占めることができる、飲料を入れる内側容器から成るが、外側容器の中の氷片は、内側容器を実質的に取り囲んでそれに直接接触し、中の飲料を冷たく保つ。内側容器と外側容器は、内側容器が外側容器の中にあるとき、それらの間に予め決められた空間を形成し、その中に氷を蓄えて密閉するようにすることが望ましい。ここに、内側容器と外側容器には、いろいろな係合面が付けられ、それらが一緒になって特別な方法で密閉を行なう。その方法は各実施例によって異なるが、氷が融けたときに、水が漏れないような耐水性のある密閉である。ある実施例では蓋が設けられて、容器と蓋の間の実質的な圧縮による支持によって、内側容器が保持される。いろいろな支えを、内側容器を所定の場所に保持することもできる。飲料は内側容器の中にあり、氷は外側容器の中にあるから、飲料が薄められることも、飲料に不純物が入ることもなく、飲料を冷たく保つことができる。また、内側容器を外側容器から取り出すことなく、飲料を直接、内側容器から注いで飲むことができる。
2005536705.tif 000002
【特許請求の範囲】
【請求項１】
予め定まった大きさと形の飲料瓶を保持することができる冷却器であって、
前記瓶の少なくとも一部が挿入できて、前記瓶との間に、予め定められた空間を作ることができる容器と；
前記容器の上を実質的に密閉して、前記瓶の首の部分が外に出るような開き口を有し、前記瓶が前記容器に挿入されたとき、前記瓶の肩部分に押しつけることのできる密閉部材を有する蓋と；
前記容器に付いて前記瓶と係合し、少なくとも１つが前記瓶の一部に係合して、前記容器の中で前記瓶が実質的に回転しないようにする１以上の支えとを備え；
前記冷却器は、前記瓶が前記容器の中に入れられて前記蓋で密閉し、前記密閉部材が前記瓶に対して押しつけられてシールされ、これにより前記空間が密閉されることを特徴とする冷却器。
【請求項２】
前記容器の底の部分は上の部分に比べて細く、中間の部分は前記底の部分より、上外方向に向かって放射状に延びている請求項１に記載の冷却器。
【請求項３】
前記１以上の支えは、前記容器の内側表面で、前記中間部分またはその近くから内方に向かって延びる、少なくとも３つの部材から成り、そのうち少なくとも１つの部材は、前記瓶が前記冷却器の中で回転するのを実質的に防ぐことができるように、前記瓶の底の部分の上にある溝または凹みに嵌合されるようになっている請求項２に記載の冷却器。
【請求項４】
前記１以上の支えは、前記容器のフロアーから上に延びる中央の支えより成り、その中央支えの上の面は、前記瓶の下の面にある凹みに係合し、前記瓶が前記容器の中で回転するのを実質的に防ぐことができるようになっている請求項１に記載の冷却器。
【請求項５】
前記中央の支えは取り外し可能で、いろいろな大きさや形の中央の支えが、前記容器に取り付けられるようになっている請求項４に記載の冷却器。
【請求項６】
前記中央の支えはコイルばねから成り、前記中央支えの上の面には係合部分があって、前記ばねを十分堅くして、前記瓶が回転するのを実質的に防ぐことができるようになっている請求項４に記載の冷却器。
【請求項７】
予め定まった大きさと形の飲料瓶を保持することができる冷却器であって、
氷片を保持できる１つの容器を備え、前記瓶の少なくとも一部が前記容器中に挿入できて、前記瓶が前記容器に挿入されたときには、前記瓶と前記容器の間に、氷片を蓄えることができる予め決まった空間が形成され；
前記容器の上を実質的に密閉するように設けられて、瓶の首を出すための開き口を有する蓋を備え；
前記容器の内側に延びて、前記瓶に対して、横及び縦方向の支えを与える１以上の支えを備え、前記１以上の支えは、前記容器の壁から内方向に延びて、前記容器の中の前記瓶が、前記瓶の下面と前記容器のフロアーとの間に空間を作り、その中に入れた前記氷片の少なくとも一部が、前記瓶の下で瓶に直接触れるようにすることを特徴とする冷却器。
【請求項８】
飲料瓶を保持することができる冷却器であって：
氷と水を保持する１つの容器を備え、前記瓶の少なくとも一部がその中に挿入でき；
上に開き口口があって、そこから前記瓶の首が出され、前記瓶を実質的に前記容器の中に入れて、前記容器につけられる蓋を備え、
前記容器は前記冷却器を通常のカップホルダー内に嵌合させることができる細くなった底の部分を持ち、前記容器は、前記瓶を前記冷却器内の予め決められた高さに保つための少なくとも１つの支え面を有する冷却器。
【請求項９】
前記底の部分から、上方向且つ放射状に外方向に向かって、中間の部分が延びて斜めの面を形成し、前記瓶が前記氷の中に押し込まれたときに、氷が上方に移動するようになっている請求項８に記載の冷却器。
【請求項１０】
前記少なくとも１つの支え面は、前記中間の部分またはその近くで前記容器から内方に延びて、前記瓶が前記斜めの面から、予め決められた距離に保たれるようになっている請求項８に記載の冷却器。
【請求項１１】
予め定まった大きさと形の飲料瓶を保持することができる冷却器であって：
氷片を蓄えるための１つの容器を備え、それは前記瓶の少なくとも一部をその中に挿入でき、前記瓶が前記容器の中にあって、前記瓶と前記容器の間に、氷片を蓄える空間を形成することができ；
１以上の面を備え、それらは前記容器の内側にあって、前記瓶を前記容器内の予め決められた高さに保つようになっており；
１つの蓋を備え、それは前記容器の上に付いて実質的に密封し、瓶の首が出るような開口を持ち、前記瓶の肩部分を押して密閉する密閉部材を持ち；
１つのねじ山の区分を備え、それは前記蓋の下の部分にあり、前記容器の上の部分には相対峙するねじ山の区分があり；
前記容器の中に瓶を入れて、前記蓋と前記容器が、しっかりくっ付いて実質的に互いに密閉すると同時に、前記密閉部材が前記瓶を押し付けて実質的に密閉し、前記瓶は、前記密閉部材と前記１以上の面との間で、実質的な圧縮による支持を受けて前記冷却器の中に保持されることを特徴とする冷却器。
【請求項１２】
前記密閉部材は、前記蓋の内側からやや下方に延びて、前記瓶の肩部分に係合する請求項１１に記載の冷却器。
【請求項１３】
前記密閉部材は、前記瓶を押し付ける複数の刃型の面を持ち、前記瓶の表面が不正確な寸法、凸凹のある面であっても、水を通さないほどの厚みを持つ請求項１１に記載の冷却器。
【請求項１４】
前記密閉部材は、前記蓋の前記開口の周りに適合するように延びる唇形のフランジを持つ請求項１１に記載の冷却器。
【請求項１５】
前記蓋は、前記密閉部材を縛り付ける働きをする突起部を持つ請求項１１に記載の冷却器。
【請求項１６】
前記密閉部材は、前記蓋に結合して作られるか、または溶接される請求項１１に記載の冷却器。
【請求項１７】
前記密閉部材は、第１の瓶の肩部分に対して密閉することができる第１区分と、それと違う形の第２の瓶の肩部分を密閉するのを防ぐための刻み目のある第２区分を持つ請求項１１に記載の冷却器。
【請求項１８】
１）少なくとも３つの支えが、前記容器の内側から、それ自身の中心に向かって延びて前記瓶を支え、前記支えの少なくとも１つは、前記瓶の下の部分にある溝または凹みに嵌合して、前記瓶が前記冷却器の中で回転するのを実質的に防ぐこと；
２）少なくとも１つの中央の支えが、前記容器のフロアーから上方に延び、前記中央の支えの上面は、前記瓶の下の部分にある凹みに係合するようになっていること；そして
３）少なくとも１つの、取り外し可能なまたはコイルの支えが、前記瓶の下の面にある凹みに係合すること、
の群から選ばれた１以上の面を前記容器が備えている請求項８に記載の冷却器。
【請求項１９】
予め定まった大きさと形の飲料瓶を保持することができる冷却器を作る方法であって：
瓶の特有な大きさと形を測定及び／または精査するか、予め決まった特有な大きさと形の瓶を採用し；
前記瓶の少なくとも一部が入るような、上が開いた容器を用意して採用し、前記瓶が前記容器に挿入されたとき、前記容器と瓶との間には、前記瓶に直接触れる氷片を蓄えるに適した空間を作り；
前記容器の上を実質的に密閉できる蓋を用意し、その蓋には瓶の首が出せる開口を設け、
前記蓋の上に密閉部材を用意し、前記瓶が前記冷却器の中に入れられたとき、前記密閉部材は前記瓶の肩部分を実質的に密閉し；そして
前記容器の内側に１以上の面を設けて、前記瓶の下の部分に係合させ、前記１以上の面は、前記蓋が前記容器の上を締めて実質的に密閉したときに、前記密閉部材と前記１以上の面との間に与えられる実質的な圧縮により、前記瓶が保持されるような位置に付けられ、前記密閉部材が前記瓶に加える圧縮による支持で、前記空間を実質的に密閉することを特徴とする方法。
【請求項２０】
前記冷却器の中に入れる、特別な瓶を予め選ぶこと、そして、前記瓶が前記冷却器の中に適応して、実質的に水が漏れないようにし、違う大きさ及び／または形の瓶は適応しないような冷却器を採用することから成る請求項１９に記載の方法。
【請求項２１】
１）前記容器の内側からそれ自身の中心に向かって延びる３以上の支えが前記瓶を支えること；
２）１つの中央の支えが、前記容器のフロアーから上方に延び、その支えの上の面は、前記瓶の下の部分にある１以上の凹みに係合して適合し、前記瓶が回転するのを防ぐこと；そして
３）少なくとも１つの取り外し可能な支えが、フロアーに付いてそこから延びること；
の群から選ばれた請求項１９の方法。
【請求項２２】
予め決まった大きさと形の飲料瓶を保持できる冷却器を作る方法であって：
瓶の特有な大きさと形を測定  及び／または  精査するか、予め決まった特有な大きさと形の瓶を採用し；
上の開いた容器を用意して、その中に、前記瓶が前記容器の中に置かれたとき、前記容器と瓶との間に氷片を蓄える空間が作られるように、前記瓶を支持し；
蓋を用意して、前記容器の上を実質的に密閉し、前記瓶を入れたとき、前記氷片が前記空間の中に実質的に保持できるようにして、その蓋には前記瓶の首が出せる開口を設け；そして、
前記蓋及び／または容器を用いて、前記予め選んだ瓶とは違う大きさ及び／または形の瓶を前記冷却器に入れるときは、前記蓋は前記容器を実質的に密閉できず、且つ／または  前記異なる瓶の肩に対しても実質的に密閉できないようにしたことを特徴とする方法。
【請求項２３】
前記蓋の上に予め決められた位置に密閉部材を設けて、前記予め選ばれた瓶に係合させること、前記開口を予め決められた大きさで作り、予め選ばれた瓶に適合するようにすること、及び／または１以上の支えを、前記予め特に選ばれた瓶に対して、前記容器の内側に設けることから成る請求項２２に記載の冷却器。
【請求項２４】
予め決まった大きさと形の飲料瓶を保持することができる冷却器であって：
１つの鋳型で作った容器を備え、その中に前記瓶の少なくとも一部が挿入できて、前記瓶が前記容器の中にあって支持されるとき、前記瓶と前記容器との間に、予め決められた空間が形成され、
１つの鋳型で作った蓋を備え、それは弾力性のある曲げ易い材料でできていて、前記容器の上を実質的に密閉し、前記瓶の首が出せる開口を上に持ち、その蓋には、前記容器の上辺に嵌め込むか廻して入れることのできるフランジを設け、前記空間の中にある前記氷片が実質的に保持されるようにすることを特徴とする冷却器。
【請求項２５】
予め決まった大きさと形の飲料容器を保持することができる冷却器であって：
１つの容器を備え、その中に前記飲料容器が少なくとも部分的に挿入できて、前記飲料容器が前記容器の中にあるとき、前記容器と前記飲料容器の間に予め決められた空間が形成されて、そこに氷片を蓄えることができ；
１以上の面を備え、それは前記容器の上にあって、前記飲料容器を前記容器内の予め決められた場所に保持し；そして
１つの指示線を備え、それは飲料容器が容器の中に入れられる以前に、どの位の量の氷を入れるべきかを知る目安を示すもので、その位置は、飲料容器が挿入されて前記予め決められた場所にあるときに、氷が前記空間を実質的に満たすのに十分な氷の量を基礎にして決められることを特徴とする冷却器。
【請求項２６】
飲料を冷たく保つ方法であって：
上が開いた“上区分”がある外側容器に、氷片を入れる；
“上部分”、“中間部分”、“下部分”をもつ、飲料の入った内側容器を用意し、少なくともその一部が前記外側容器に入るようにする。そして、挿入されたときには、前記下部分が前記氷片に触れるようにし；
若干の氷片が前記下部分によって移動させられ、前記外側容器内にある氷片の高さが上昇するようにし；そして
前記上区分が前記中間部分に対して実質的な密閉をするようにして、前記内側容器と外側容器の間に予め決められた空間を作り、その中に前記氷片を蓄えて密閉することを特徴とする方法。
【請求項２７】
前記内側容器の挿入によって、前記上区分は前記上部分に係合して、前記動きを止めて前記空間を実質的に密閉することを助ける請求項２６に記載の方法。
【請求項２８】
前記上区分が密閉されるのは、上に開き口のある蓋を前記内側容器の上に置いて、前記外側容器に対して、それを保護することである請求項２６に記載の方法。
【請求項２９】
外側容器の中に、実質的に指示線に達するまで、十分な量の氷片を満たす請求項２６に記載の方法。
【請求項３０】
スポーツ瓶であって：１つの外側容器を備え、氷片を保持するためのもので、上端の開いた上区分を持ち；
取り外し可能な１つの内側容器、飲料を入れるためのもので、蓋が付き、上部分、中間部分、下部分を持ち、前記内側容器の少なくとも一部が前記外側容器に挿入されるようにし、挿入されたときには、前記下部分と前記外側容器との間に、予め決められた空間が形成され、そこに前記氷片が蓄えられ；そして
前記上区分は内側の面を持ち、前記中間部分の外側の面を押して実質的に密閉し、前記空間も実質的に密閉することを特徴とするスポーツ瓶。
【請求項３１】
飲み物容器であって：
１つの外側容器を備え、氷片を保持するためのもので、カップやマグと同じように、上端の開いた上区分を持ち；
取り外し可能な１つの内側容器を備え、飲み物を保持するためのもので、上部分、中間部分、下部分を持ち、少なくともその一部が、前記外側容器に挿入でき、挿入されたときには、前記下部分と前記外側容器との間に、予め決められた空間が形成され、そこに前記氷片が蓄えられ；そして
前記上区分は内側の面を持ち、前記中間部分の外側面を押して実質的な密閉を行い、前記空間も実質的に密閉することを特徴とする飲み物容器。
【請求項３２】
前記中間部分は前記上部分より細く、前記下部分は前記中間の部分より細い請求項３０のスポーツ瓶または請求項３１の飲み物容器。
【請求項３３】
前上区分と前記中間部分の結合は摩擦によって実質的に密閉される請求項３０のスポーツ瓶または請求項３１の飲み物容器。
【請求項３４】
少なくとも１つの溝が、前記中間部分に付けられ、前記内側容器が前記外側容器に挿入されたとき、余分の空気が放出されるようにする請求項３０のスポーツ瓶または請求項３１の飲み物容器。
【請求項３５】
前記内側容器は、前記外側容器の上端が前記上部分に係合するまで、前記外側容器の中に挿入することができる請求項３０のスポーツ瓶または請求項３１の飲み物容器。
【請求項３６】
前記上区分と前記中間部分の結合は、さねと溝による結合から成る請求項３０のスポーツ瓶または請求項３１の飲み物容器。
【請求項３７】
前記上区分と前記中間部分の結合は、ねじ山の区分と干渉係合から成る請求項３０のスポーツ瓶または請求項３１の飲み物容器。
【請求項３８】
前記下部分には縦の裂け目がある請求項３０のスポーツ瓶または請求項３１の飲み物容器。
【請求項３９】
どの位の量の氷を使うかを示すために、前記外側容器の上に指示線を付ける請求項３０のスポーツ瓶または請求項３１の飲み物容器。
【請求項４０】
前記中間部分に係合して、前記上区分に、実質的に耐水密閉をする１つの密閉部材を付ける請求項３１の飲み物容器。
【請求項４１】
前記密閉部材が、前記内側容器だけでなく、予め選ばれた商業用の缶または瓶の壁にも、係合して密閉を与える請求項４０の飲み物容器。
【請求項４２】
１つの密閉部材が前記中間部分に付いて、前記上区分に係合し、実質的に耐水密閉する。前記外側容器は、前記上区分の周りに実質的に滑らかな面を持ち、普通のカップまたはマグに似ている請求項３１の飲み物容器。
【請求項４３】
１つの密閉部材が、次のグループより提供される。即ち、１）複数の弾力性のある刃型の面、２）弾力性のあるガスケット、覆い、またはスリーブ、そして  ３）弾力性のある畝のある面である請求項３１の飲み物容器。
【請求項４４】
飲料冷却器であって：
１つの外側容器、氷と水を保持するためのもので、上区分に上端の開き口があり；
取り外し可能な１つの内側容器を備え、それは飲み物を保持するためのもので、上部分、中間部分、下部分を持ち、前記中間部分は前記上部分より細く、前記下部分は前記中間部分より細く；
前記内側容器は、前記下部分が、前記外側容器の前記上端の開き口から挿入され、壁と前記下部分のフロアーとの間、及び壁と前記外側容器との間に、予め決められた空間を形成し、それらの壁とそれらのフロアーの間に、最大で少なくとも半インチの大きさの氷片を蓄え；そして
前記内側容器と外側容器が係合して、前記上区分と前記中間部分によって、実質的に密閉され、それにより前記空間が実質的に密閉されることを特徴とする。
【請求項４５】
特別な瓶の飲料製品に関して冷却器を使用する方法であって：
氷片を蓄えられるように設計された冷却器を設け；
前記冷却器をコンパクトに設計して、前記瓶の飲料製品の入った１つだけの瓶が、少なくともその一部を、前記冷却器の中に、前記瓶の首が外に出るようにして、挿入されるようにし、前記瓶が前記冷却器の中にあるとき、前記瓶と冷却器との間に空間が形成され、その中に前記氷片が蓄えられて、その氷片が前記瓶に接して瓶の中の飲料を冷たく保つようにし；
冷却器と特別な瓶の飲料製品との間の連携をよくするため、冷却器に関する資料と情報を提供し；そして
その冷却器を消費者が入手できるようにすることを特徴とする方法。
【発明の詳細な説明】
【技術分野】
【０００１】
［発明の技術］
本発明本発明は、飲料の冷却器に関するもので、特に、氷と水を収容するアッセンブリを備えた、飲料冷却法及び冷却装置に関するものである。
【背景技術】
【０００２】
［発明の背景］
多くの人は、水やソーダ、ジュース、ビールなどの冷たい飲料を好む。このような飲料を作ったり、それらを冷やしたりするには氷を用いるのが典型的である。多くの場合、角氷（アイス・キューブ）、割り氷、砕き氷などの、あらかじめ作られた氷片を、直接飲料の中に入れるが、この方法の欠点は、氷が溶けるに従い飲料の濃度が薄くなることである。更に、氷がフィルターを通さない水道水から作られている場合は、望ましくない不純物が飲料に入ってしまうことが起こりうる。
【０００３】
氷を使わない方法もいくつか考えられている。断熱された瓶は飲料を冷たく保つのにはよいが、飲料を冷やすことができない欠点がある。即ち、この方法では、飲料は初めに冷たくしておかなければならない。他の方法は、プラスチック製の角氷を用いることであるが、これらのプラスチックの角氷は、使用する度に氷結し直さなければならない。その為に、色々な型の冷却剤の入った、再冷却可能な容器が用いられている。また、氷箱（アイスボックス）もよく用いられるが、それらはとかく大き過ぎて扱いにくい。特にそれは、ただ１つだけの飲み物を冷やしておくのには向かない。
【発明の開示】
【課題を解決するための手段】
【０００４】
［発明の概要］
本発明は、通常の角氷、及び／または、他のあらかじめ作られた氷片を用いて、飲料を冷却する方法とその装置に関するものである。それらの氷片には角型のもの、割り氷、砕いた氷などがあるが、標準の氷製造器／自動製氷販売器により、上記の欠点のないように作られる。
【０００５】
一般に、本発明は、氷片を入れる外側容器と、飲料の入る内側容器からなり、内側容器の少なくとも一部は外側容器の内側に入らなければならない。内側容器は外側容器の内側にあって、２つの容器の間には氷片の入る場所があるようにすることが望ましい。このようにすれば、内側容器は実質的に氷に囲まれて直接に氷に接する結果、中の飲料を冷たく保つことができる。ここに、内側容器と外側容器は互いに係合（engage）する表面をもち、全体を特別な方法で密閉することが望ましい。その方法は、個々の実施例によって異なるが、氷が溶けたときに水が漏れないように、実質的な密閉を提供するものでなければならない。飲料は内側容器の中にあり、氷は外側容器の中にあるから、飲料が氷で薄まることもなく、不純物が飲料に混入することもない。また、内側容器を外側容器から出すことなく、全体を取り上げて、飲料を直接内側容器から注いで飲むことができる。
【０００６】
本発明は、以下の実施例において具体的に述べるような、一般的な冷却法とその装置から成っている。
【０００７】
第一の実施例では、外側容器が、特別な商業用の飲料の入った瓶、例えば内側容器として使われるペット・ボトルを、しっかりと内側に固定して、瓶と外側容器との間に氷や水を入れるようにすることが望ましい。ここに、外側容器は、瓶を支え且つ氷を入れておくのに適した、筒型カップ（マグ）や水差し（ジャグ）に似た上端の開いたものがよく、それに瓶の首を伸ばすことができるように、開き口の付いた繰り返し密閉できる別個の蓋が付けられる。その蓋の開き口の周りに付けられる密閉部材（sealing member）が、瓶の肩の部分に押し付けられることによって密閉することができる。
【０００８】
瓶が外側容器の中に置かれたときは、瓶の底は容器によって支えられ、蓋はしっかりと密閉され、瓶の首は蓋の開口部につながる。そして、密閉部材が瓶の肩に押し付けられて密閉する。この組み合わせは瓶と容器の間の空間を実質的に密閉することができて、中の氷と水が漏れるのを防ぐことができる。この冷却器は、今までのものと異なり、洗ったりフリーズし直したりしないで、繰り返し使用することができる。使用が終わったら、瓶を取り出し、氷と水を捨てれば、容器はすぐまた、使用できる。
【０００９】
容器の内側には、瓶を縦及び横方向に支えるために、１以上の支えを付けることが望ましい。１つの案では、瓶の下の面に係合する、３以上の中心の合った支えが供給される。また、瓶の底の凹みに係合して、中央の支えが付けられる。中央の支えは、いろいろな形や大きさの瓶に使えるように、取り外しができるようにするか、コイルのばねを使用する。また他の案では、少なくとも１つの支えが、瓶の溝または凹みに係合して付けられ、瓶が容器の中で回転しないようにすることが望ましい。それにより、瓶が内側で捻れることなく、瓶の蓋を開閉することができる。また、容器の底の部分を細くして、冷却器が通常のカップ保持用の穴に入るようにする。更に、指示線を付けて、瓶を挿入する前に、どの位の量の氷を容器に入れるのがよいかの目安を、使用者に与えることができるようにする。
【００１０】
冷却器（cooler）は、予め定まった大きさと形の特殊な飲料瓶が、密閉部材と下方の支えの間で、実質的に圧縮による支持を受けるようにすることが望ましい。このようにして、冷却器は、ある特別な瓶には使えるが、他の大きさ、形の瓶には使えないようにすることができる。従って、ある飲料の製造会社は、その冷却器（即ち、その製造業社の瓶に合わせて作った特殊の冷却器）を宣伝して売ることにより、自社の瓶入り飲料品の売上を増大することができる。何故なら、消費者は、その冷却器を使うために、他社のではなく、その会社の瓶入り飲料品を買わなければならないからである。
【００１１】
別の実施例では、内側容器と外側容器から成るスポーツ飲料瓶が提供される。前の実施例と同じように内側容器は瓶であるが、この実施例では瓶は実際の瓶ではなくて、製品の一部である。この場合には、内側容器は外側容器に挿入されてそれに接触し、氷を蓄える空間が予め作られるように、密閉されることが望ましい。ここに、外側容器の内面が内側容器の外面に係合して、摩擦か、干渉係合か、密閉用パッキングか、さね（tongue）と溝などの方法で、密閉するようにすることが望ましい。摩擦の方法を用いる場合は、内側容器の上に空気抜きの溝を作って、余分の空気が逃げられるようにすることが望ましい。内側容器の最下の部分を細くして、内側容器と外側容器の間に、より多くの氷片が入るようにすることが望ましい。ストローを用いて、飲料が氷に囲まれて最も冷えている最下の部分から、飲料を吸い出すことができる。
【００１２】
また別の実施例では、内側容器がカップのようなもので、外側容器はマグまたは大きなカップのようなものである。スポーツ瓶のときと同じように、内側容器を外側容器に挿入するだけで、外側容器が内側容器を密閉して空間を作り、そこに氷を蓄えられるようにすることが望ましい。しかしながら、この実施例では内側容器は、飲料を内側容器から直接飲めるようにするため、カップのようなものであることが望ましい。前の実施例と同じように、外側容器に対して内側容器を実質的に密閉して、密閉した空間に氷片を蓄えるようにするために、いろいろな係合面が供給される。密閉部材が用いられる場合は、内側容器の外面に付けられ、外側容器には普通のマグまたはカップが使われる。密閉部材はまた外側容器の内面に付けることもできるが、そのときは瓶や缶のような違う型の内側容器を挿入して密閉することができる。
【図面の簡単な説明】
【００１３】
【図１】本発明の実施例の、側面から見た概念図である。
【図２】図１の実施例の各区分を示す区分図である。
【図３】ペット・ボトル瓶（破線で示されている）が入った断面図である。
【図４】５つの溝のある典型的なペット・ボトルの底を示す。
【図５】蓋の区分を示す図である。
【図６】吹き出し鋳造（blow-molded）による実施例の水平区分図である。
【図７】図６の吹き出し鋳造による実施例のＡ−Ａの断面を示す。
【図８】図６の吹き出し鋳造による実施例のＢ−Ｂの断面を示す。
【図９】内側容器の中で、瓶の挿入によって氷片が移動する様子を示す。
【図１０】本発明の別の実施例を示す。
【図１１】図１０の実施例の、固定された支えを示す区分図である。
【図１２】図１０の実施例の、取り外し可能な支えを示す区分図である。
【図１３】図１３ａ乃至図１３ｃは取り外し可能な支えの概念図である。
【図１４】コイルばねの実施例を示す。
【図１５】大きさと形の異なる２つの瓶を示す。
【図１６】図１６ａ及び１６ｂは別密閉部材の断面図を示す。
【図１７】図１６ａ及び１６ｂの密閉部材を示す。
【図１８】容器の外側面につかみがある実施例を示す。
【図１９】飲み物容器の実施例を示す。
【図２０】飲み物容器の実施例を示す。
【図２１】飲み物容器の実施例を示す。
【図２２】飲み物容器の実施例を示す。
【図２３】飲み物容器の実施例を示す。
【図２４】飲み物容器の実施例を示す。
【図２５】２つの部分から成る実施例の代案を示す。
【図２６】スポーツ飲料瓶の場合の実施例を示す。
【図２７】スポーツ飲料瓶の場合の実施例を示す。
【図２８】スポーツ飲料瓶の場合の実施例を示す。
【発明を実施するための最良の形態】
【００１４】
［発明の詳細な記述］
図１及至図５は本発明の１つの実施例を示し、容器５と蓋３が結合して一緒に密閉されるように設計されている。図２に見られるように、容器５の上端は開いており、取っ手７が付いていることが望ましい。容器の内側に壁１２を設けて内部空間９を作るとともに、開き口１１からペット・ボトルのような瓶１３をその中に挿入して、少なくともその一部が容器に入るようにする。
【００１５】
容器５には、図３に示されるように、壁１２などから内側に複数の支え４、６が延びて、瓶１３の下の部分に係合して、横及び縦方向に支えるようにすることが望ましい。支え４、６は、図３に示されるように、瓶１３に支持を与え、瓶１３と容器５の間に空間１５、１７を作り、そこに氷片が蓄えられるようにすることが望ましい。壁１２と瓶１３との距離は、瓶１３を容器５に入れた場合、標準の氷製造器／自動製氷販売器で作られる標準サイズの氷片が、空間１５に保持できる程度にすることが望ましい。そのような氷片の大きさは、通常半インチから１インチまたはそれ以上である。従って、瓶１３と壁１２との距離は、少なくとも約４分の３インチ、またはそれ以上である。もっともこれは氷片の大きさによって異なり、特別な目的に使われる大きな氷片に対しては、この距離はもっと大きくしなければならない。空間１５は氷片を入れるのに十分の広さでなければならないが、同時に容器５はできるだけ小さい方が望ましい。
【００１６】
蓋３には、図５に示すように、中央の開き口１９があり、そこから瓶１３の首２１が出るようにすることが望ましい。開き口１９の周りで、蓋３の内側には、弾力性のある密閉用ガスケット（パッキング）のような、１以上の密閉部材２３が付けられることが望ましい。開き口１９を通して首２１が出るようにして蓋３が容器５につけられたとき、図３に見られるように、密閉用部２３が瓶１３に係合して肩を押し付けるようにすることが望ましい。この様にして、蓋３は容器５に密着し、同時に密閉用部２３が瓶１３に密着する一方で、空間１５は実質的に密閉される。支え４、６により、瓶１３が容器５の中で比較的一定の場所に固定され、瓶１３が密閉部材２３と支え４、６との間で、実質的な圧縮による支持を受けることが望ましい
外側容器５には、図１乃至図３に見られように、細い底の部分２があり、通常のカップホルダーの穴に適合して入るようにすることが望ましい。底の部分２には瓶１３の下に空間１７を作ることが望ましく、そこに、瓶１３の底面４９を包むように、更に氷が入れられるようにすることが望ましい。底面４９と容器５のフロアー８との距離は、この実施例では、底の部分２がどの位の高さか、また、空間１７にどの位の氷を入れるかによって決まる。後に図９に示されるように、底の部分２から、中間の部分５２が上外方向に放射状に延びて、斜面５１を作るようにすることが望ましい。このようにすれば、瓶１３が容器５の中で下方に押されるとき、氷の一部が壁１２に沿って上の方に移動できる。斜面５１と、容器５の中で瓶１３が支えられている場所との距離は、氷がよく循環して、底の部分２の中で停滞しないで流れるような大きさにあらかじめ決めておくことが望ましい。支え４、６は、中間の部分５２またはその近くで壁１２から出て、図３に見られるように、瓶１３をフロアー８から予め決められた高さに、保持するようにすることが望ましい。
【００１７】
この実施例では、瓶１３を支持する機構として、少なくとも３つの支えが設けられる。例えば、図１乃至図３の実施例では４つの支えがあり、そのうち３つの支え４は下の面４９に係合し、他の１つの高い位置につく支え６は、それより少し上の位置に、瓶１３の下の方にある溝４５の１つに係合かつ嵌合して取り付けられる。図４に見られるように、典型的なペット・ボトル１３には、面４９の上に複数の溝４５があり、多くのものは５個の溝を持っている。高い位置に付く支え６の少なくとも一つを、溝４５の１つにぴったり嵌合して取り付けることにより、瓶１３の回転を実質的に防ぐことができ、瓶の蓋４７を捻って開閉する場合、瓶１３が同時に捩れることなく、容易に開閉できるようになる。勿論、瓶１３の蓋が引き抜き型の場合にはこの必要はない。この実施例では、１つの支え６が高い位置に付いているが、望みにより、それを何個でも、例えば各々の溝４５に１つずつ付けることもできる。
【００１８】
密閉部材２３は、図５に見られるように、多数の刃型のような面の付いた係合部（engaging portion）２５を持ち、たとえ瓶１３の表面が凸凹していて正しい寸法でなくても、排水性をよく保つようにすることが望ましい。突起部３１が蓋３から下に延びて、溝３３を通って係合部２５と結びつくようにすることが望ましい。これにより、係合部２５を締め付けて、図３に示されるように、有効な密閉を提供できるようにすることが望ましい。これ以外の方法、例えば、区分の噛み合わせ、粘着、接合（化学的などの）、融合、溶接などの方法でも、密閉部材２３を蓋３に結合させて、しっかりと密閉をすることができる。もし望むならば、開き口１９に会うように中央のくぼんだフランジ２７を取り付けて、蓋３の上に機械的にスナップオンするように、密閉部材２３を作ることもできる。
【００１９】
密閉部材２３は弾力性のある物質、例えば、ゴム、シリコン、ポリプロピレン、ポリエチレン、あるいはそれらの組み合わせ、及び類似のものなどで作ることが望ましい。本発明では、密閉部材２３が堅固及び／または厚い材料でできていて、水漏れが起こらないように、瓶１３に対して実質的な圧縮をかけている。蓋３と容器５の結合は、ねじ山３５、３７によって締められ、図２に示される容器５の上縁４３と、図５に見られる蓋３から下方に伸びる延長部３９によってできる干渉溝４１との間の干渉によって、実質的に密閉される。溝４１は長く作られ、たとえ容器の上縁４３が溝４１に完全に挿入されない場合でも、実質的な密閉が保たれるようにすることが望ましい。あるいは以上のかわりの方法として、ガスケット、一対の留め金、締めがね、引っ掛けと掛けがね方式、軸と受け口などの方法で、蓋３を容器５に結合及び／または密閉することもできる。
【００２０】
使用にあたっては、次のステップに沿って行うことができる。先ず、標準の大きさの氷片を容器５の中に入れる。その際、図２に示した指示線５１は、どの位の氷を容器５の中に入れるのがよいかを、瓶１３を挿入する前に示す。そして、瓶１３が容器５の中に挿入されたときには、１５と１７の空間を実質的に氷で満たすことができるようにすることが望ましい。瓶１３を氷の中に押し込むときは、図９に示されるように、いくらかの氷が斜面５１に沿って上に動くことになる。瓶１３の周りで氷が動き易いようにするために、必要があれば、容器５に水を足してもよい。瓶１３を下向きに押して、支え４、６の上に座りのよいようにすることが望ましい。そして、瓶１３の上に蓋３を被せ、瓶の首２１が開き口１９から出るようにして、容器５の上にしっかり取り付けることにより、密閉部材２３を瓶１３の肩を押し付けて密閉することができる。このようにして、氷片は空間１５、１７の中に蓄えられ、氷／水が漏れるのを防ぎながら、飲料を冷たく保つことができる。
【００２１】
図６乃至図８は、比較的低い価額で製造できる２０オンスのペット・ボトルのような、ただ１つの瓶に対する場合の、好ましい実施例を示す。容器５５は、プラスチックのような、一片の可塑性材料から、吹き出し鋳造法（blow-molding）で鋳型を作ることが望ましい。容器５５の上端の開き口７１は、比較的細く示されているが、必ずしもそうである必要はなく、その場合は、容器は注入鋳造法（injection-molding）で作ることができる。容器５５には、前述の実施例と同じように、細くなった底の部分６３、取っ手６５、外部のねじ山６７、壁６１と内部空間６０などがある。この実施例でも、前の実施例のときと同じ蓋３が用いられる。瓶１３は、あらかじめ決まった大きさと形のものを使うことが望ましい。
【００２２】
吹き出し鋳造法の場合、この実施例では、図６に示されるように、壁６１の内側に引っ込みを入れることにより、支え５７、５９が作られ、瓶１３の下端の面４９に、垂直及び横方向の支持を与えるようにすることが望ましい。吹き出し鋳造法では典型的に外部鋳造だけを使うから、容器５５の厚さは、壁６１の上に作られた支え５７、５９が、蓋３に付いた密閉部材２３と支え５７、５９との間に、実質的な圧縮による支持を与えて、瓶１３に係合してそれを支えることができるようにすることが望ましい。
【００２３】
この実施例では、少なくとも３つの支えを設けることが望ましい。図６乃至図８に示されるように、やや高い位置の２つの支え５９は、瓶１３上にある２つの溝４５内に嵌合するようになっており、他の１つの支え５７は、瓶の下側の面４９に係合するようになっている。２つのやや高い位置の支え５９は、図６及び図７に示されるように、容器５５の互いに反対の側にあって、瓶１３の互いに反対側の溝４５に取り付けることが望ましい。支え５７は取っ手６５の近くの側面にそって取り付けられる。すべての３つの支えは、図６に示されるように、垂直の中央面ＢＢの周りに、対称で三角形をかたどる位置に作られることが望ましい。支え５７、５９はまた、図６に示されるように上に傾斜した面を持ち、容器５５の中で瓶１３が自動的に中央に位置するのを助け、瓶１３が支え５７、５９の上で安定していられるようにする。前の実施例と同じように、容器５５は、底の部分６３の上に斜面５１を有し、瓶１３が挿入されたとき、氷が上の方に移動するのを助ける。
【００２４】
図１０乃至図１３は、蓋７５と容器７７が一緒になって、中にある瓶８３を安全に密閉する、別の実施例７３を示している。前の実施例と同じように、蓋７５には密閉部材７６と開き口７４が付いており、開き口７４を通じて瓶８３の首８６が出ている。瓶が容器７７に挿入されるときは、瓶８３と容器７７の間に、空間９１が生ずるようにすることが望ましい。１つの案では、容器７７はある特定の瓶８３に合うような寸法に作られるが、別の案では、後に述べるように、別の大きさや形のいろいろな瓶が、いろいろな中央の支え９３を使って、容器７７の中に適応するように考えられる。この実施例は、どのような寸法の瓶にも使えるが、特に、底の部分を細くする必要がない、２リットルや６４オンスのペット・ボトルのような、より大きな瓶に向いている。もっとも底の部分８５は、もし望むならば、細く作ることもできるが。
【００２５】
図１１乃び図１２に示されている２つの案では、両者とも、容器７７のフロアー９９から、台座のように上に延びた中央の支え９３が、瓶８３上にある凹み９７に係合して瓶を支えている。支え９３が、密閉部材７６と容器内の支え９３の間の部分に、実質的な圧縮を加えることにより、瓶８３が支えられることが望ましい。支え９３は、フロアー９９からあらかじめ決められた高さに瓶８３を保ち、図１２に示されるような追加の空間１０１を瓶８３の下に作り、追加の氷を瓶８３に接するようにして貯蔵できるようにすることが望ましい。更に、支え９３の剛性によって、瓶８３に横向きの支えを与えることができる。これらの実施例は、前に議論されたように、壁８９から支えを出すことによっても可能である。
【００２６】
大抵のペット・ボトルには、その下の面９８に凹み９７があるが、複数の溝その他の構成を持つ型のものは、それらにより硬さと支えを与えることができる。中央の支え９３の上の面９５は、図１３ａ、１３ｃに示されるように、相反的な溝、及び／または構成物９６を組み合わせて作られ、凹み９７に係合して実質的に噛み合うようにすることが望ましい。そうすれば、瓶８３が容器７７の中で、実質的な圧縮による支持を受けて保持されるときに、瓶８３が回転しないようにすることができる。支え９３の上の面９５は、図１３ａ、１３ｃに示されるように、構成物９６が瓶８３の下の面９８の形状に合うように作られる。
【００２７】
図１１は固定された支え１０５がフロアー９９から出ている場合を示している。この案は、上の面９５が特別な凹み９７の形に適合するような、特別の瓶を使用するときに適している。支え１０５に瓶８３の中心を合わせ、複数の中心の合った小割板９０が壁８９に作られる。支え１０５は、図１１のようにフロアー９９の中に作られるか、図１２のようにフロアー９９の延長かそれにくっ付くように作られる。図１２では取り外し可能な支え１０７が示してあり、いろいろな大きさや形の複数の支えが使用できる。１つ１つの支え１０７は、先に述べたように、夫々特別な瓶８３に合うような上の面９５と高さを持つことが望ましい。このようにして、１つの容器７７で、色々な支え１０７を付けたり外したりすることにより、たくさんの異なる大きさ／形の瓶を、密閉部材７６と支え１０７との間の部分に実質的な圧縮による支持を与えることによって、保持することができる。
【００２８】
支え１０７はフロアー９９に付けられるが、そのとき、支え１０７がフロアー９９に対して回転しないようにすることが望ましい。図１２と１３ｂに示される例では、軸１０９がフロアー９９から出ている。軸１０９には垂直な溝１１１があり、支え１０７には逆穴１１３があって、溝と係合する延長部１１５がある。その代りに、溝１１１が穴１１３の中にあり、延長部１１５が軸１０９の上にある場合もある。また別の案では、軸１０９と穴１１３が円形でない、例えば四角、長方形、または三角形の形に作られ、支え１０７の回転を防ぐことができる。また、２つのものを逆にすることもできる。即ち、フロアー９９に穴１１３を作り、軸１０９が支え１０７から下向きに延びるようにすることもできる。
【００２９】
壁８９は、中心の合った小割板９０をなくして、大きな直径の瓶が使えるようにすることもできる。例えば、図１２に示す２リットルの瓶８３の代りに、もっと幅広の６４オンス瓶を使うことができる。小割板がなくても、上の面９５が瓶８３に中心合わせの効果（self-centering effect）を与えるように、支え１０５と１０７が適合されることが望ましい。容器７７の上端の開き口８７は、図１１、１２に示されるように、十分大きくして、瓶８３が容器７７に挿入された後でも、氷を補充できるようにする。
【００３０】
先の実施例と同じように、蓋７５にはねじ山９４があって、容器７７のねじ山８１と係合している。干渉嵌合はまた、図１１に示されるように、干渉溝８４の中にパッキング８０のようなものを入れることでもできる。しかもこれは先の議論にもあるように、耐水性のあるものなら何でもよいわけであるが。密閉部材７６は、突起部７８を通じて蓋７５に結ばれる。即ち、先に述べたように、接着剤その他の安全な方法で結合され、類似の比較的厚い材料で作ることができる。密閉部材７６はまた、凸凹した面でも密閉ができるように、刃型のような面を持つことが望ましい。
【００３１】
支え９３の代案として、図１４に示されるように、コイルばね１０２を用いて、いろいろな寸法の瓶を収容することができる。ばね１０２はハウジング１０４を介して、フロアー９９にしっかり付けられ、回転が起こらないようにすることが望ましい。ばね１０２は十分堅くして、瓶８３に上向きの力を加え、且つばねが捻れることの無いようにして、先にも述べたように瓶８３の回転を実質的に防ぐようにすることが望ましい。ここに、ばね１０２の上の面９５は、ばねに回転を与えないようにして、全体の支えが瓶の回転を防ぐようにする。ばね１０２は、アルミ、ステンレス鋼、合成物質などの、さびの生じない物質で作ることが望ましい。
【００３２】
いろいろな蓋７５が、いろいろな瓶８３を収容するために設けられる一方、色々な形、大きさの瓶に合わせて、密閉部材が作られる。これに関して、本発明では１つの容器７７が、いろいろな瓶に合うような複数の蓋７５を付けて売られる。それには、望むならば完全に容器を密封できる、ストローの付いた固形の蓋も含まれる。それはまた、同じ目的で作られる、複数の取り外し可能な支え１０７とともに売られる。また、前の実施例のときに用いられた複数の蓋３を供給することもできる。
【００３３】
各々の実施例に関して、蓋３、７５及び容器５、５５、７７などの主要な部品は、ポリエチレン、ポリプロピレン、ＨＤＰＥ（高密度ポリエチレン）、ＰＶＣ（ポリ塩化ビニール）、ＰＥＴ（ポリエチレンーテレフタレート樹脂）などのプラスチックで作ることが望ましいが、ステンレス鋼、ガラス、セラミックなどの通常の物質を使うこともできる。これらの物質は、食べ物に触れても安全であることが望ましい。断熱をよくするために、容器は熱を伝えにくいもので作るか、壁を二重構造にするか、または比較的厚い壁にする。蓋３と７５及び容器７７は注入鋳造法で、容器５５は吹き出し鋳造法で作ることができる。容器５は適当などんな方法で作ってもよい。
【００３４】
更に別の実施例１７０が図２５に示されている。この案では、外側の容器１７２はプラスチックでできたマグまたはカップが望ましく、上端の周りにはへり１７４が付く。蓋１７６は、瓶１７８の首に合うような、弾力があって而も曲げ易い硬い材質でできていることが望ましい。一案では、材質は、使用者が蓋１７６の上の部分１７５を握って、蓋１７６と瓶１７８の間に摩擦を生じさせるとき、瓶１７８を回転から防げるようなものとする。また、蓋１７６には、外側容器１７２のへり１７４にフランジ１８０がはめ込まれ、容器１７２内の瓶を保持し、空間１７７の氷を実質的に保持する。また他の案では、水漏れを防ぐための瓶１７８に対する密閉部材がなく、瓶１７８の首を上に抜け出させ、蓋１７６が瓶１７８を内側に実質的に保持して、氷片を空間１７７に保持する。この場合は、水が瓶１７８と蓋１７６の間で空間１７７から漏れる恐れがあるので、瓶１７８から飲料を飲むのにストローを使うこともできる。
【００３５】
蓋３、７５及び容器５、５５、７７の大きさ、形は、使用される１以上の瓶の、特有の大きさ、形、寸法を基にして決められる。従って、好ましい瓶を、細かく調べるか測定して、正確な寸法を得ることが望ましい。測定には瓶から鋳型を作ることも含まれる。このようにして、冷却器を予め決まった大きさ、形の特殊な瓶に適合させることができる。本発明ではまた、冷却器に合うような瓶を、注文して作ることも考えられている。握力をよくするために、どの部品に対しても、表面のきめ、にぎり、またはきざみをつけることができる。容器には横の取っ手、ひもを付けるための穴、または、図１８のような凹み９８を持たせることができる。外から内容が見えるように、１つまたは両方を、透明、半透明、またはぼかしの入った物質で作ることもできる。肩掛け用のひもをつけることもできる。
【００３６】
本発明の１つの独特な面は、特定の冷却器が、ある大きさ及び／または形の瓶を収容することはできるが、他のいろいろな大きさ及び／または形の瓶は収容できないということである。図１５には、異なる肩の形と高さを持つ２つの瓶１１０と１１２が示されている。瓶１１０は、蓋３、７５の上の密閉部材２３、７６（または開き口１９、７４）の寸法ａを基にした、効果的な肩の高さｂを持つが、瓶１１２は同じａの寸法に対して、短めの肩の高さｃを持つ。従って、容器の下の部分にある支えの面が決まっている場合は、冷却器は１１０か１１２の何れか１つの瓶を収容するように作れるが、両方を収容するようにはできない。即ち、間違った瓶が入れられた場合には、瓶に対する密閉ができないか、蓋が容器に合わないため、何れの場合も、水が漏れえてしまう。異なる大きさと形の瓶が使えないようにする方法は他にも考えられる。例えば、４、６、５７、５９、１０５などの下の支えを、ある１つの型の瓶の溝には合うが、別の型のものには合わないように作ることである。同様に、開き口１９、７４を小さくして、大きすぎる首を持つ瓶が、密閉部材の面がない場合でも、中に入れないようにすることもある。
【００３７】
図１６ａ、１６ｂ、１７は、密閉部材１１４の端１２０または１２２に刻み目１１６を付けると、違った角度の肩を持つ瓶が、きちんと密閉されないようにすることができることを示す。この実施例では、効果的肩の高さが同じ瓶でも、肩の角度が違うと瓶がうまく密閉されない。例えば、図１６ａでは、瓶１１０の肩の角度が１１８の平らな面に係合して適合するので、密閉部材１１４が瓶１１０に対して密閉を行なうが、図１６ｂでは、同じ密閉部材１１４が、瓶１１２の肩が急角度であるため、平らな密閉面を持たない密閉部材１１４の端１２０が瓶１１２に係合してしまい、瓶１１２に対して密閉を行はない。瓶１１２がこのようになっているときは、密閉部材１１４が瓶１１２に圧縮を掛けていても、水は刻み目１１６から漏れてしまう。密閉部材１１４は比較的硬い弾力性のある物質で作ることが望ましく、刻み目１１６は、図１７に示されるように、端１２０または１２２に、あるいはそれらの両方に付けることができる。
【００３８】
以上の理由により、本発明では、飲料の製造会社が自分のところの製品に合った冷却器を使って、売上や市場のシェアを増やすことを考慮している。この場合、冷却器はただ１つの型の瓶にだけ合うので、消費者がその冷却器を買えば、製造会社はその冷却器を販売の道具として自分の飲料品の売上を伸ばすことができる。製造会社は自分の瓶に合わせて冷却器を作り、その上に会社の商識図案を印刷することができ、消費者はその冷却器を使うために、その会社の瓶の飲料を買わなければならないわけである。本発明はまた、、製造会社が今までに述べた実施例の何れでも用いて、１つの（ペット・ボトルのような）飲料容器に対して特別にデザインした冷却器を作り、その上に、会社の商識図案または商標を印刷して冷却器の売上を伸ばすことができる。例えば、その冷却器が適合する瓶の製品のイメージや図形を、更にはそれに適合しない製品はどれかをも印刷して、冷却器を提供することができる。
【００３９】
図１９乃至図２４は飲料容器の実施例を示す。図１９は、上部分１３１、中間部分１３４と下部分１３５から成る内側容器１３０と、マグまたはカップに似た外側容器１３６を示す。下部分１３５は中間部分１３４より細く、中間部分１３４は上部分１３１より細いことが望ましい。密閉部材１３２は、前に述べたような物質でできた、曲がりやすくて弾力性のあるパッキング（袖または輪）のようなもので、図１９に示されるように、中間部分１３４の外側を守ってその周りに付けられる。内側容器１３０が外側容器１３６に挿入されたとき、密閉部材１３２は、外側容器１３６の内面１３３に接係合して、図２２に示されるように、内側容器と外側容器の間に密閉された空間１４１を作り、そこに氷片を蓄えることができる。密閉部材１３２は、図１９に示されるように、複数の弾力性のある刃型の面を持ち、中間部分１３４からやや上向きに角度を持って付け、内側容器の挿入が容易で、抜け出し難いようにすることが望ましい。
【００４０】
別の案では、図２４に部分的に示されているように、密閉部材１３２が外側容器１３６の内面１３３を守ってその周りに付けられる。そして、密閉部材１３２は中間部分１３４の外側の滑らかな面を押し付けて空間１４１を密閉する。その場合、弾力性のある刃型のような面を下向きの角度に付けて、挿入を容易にすることが望ましい。また、別の案では、密閉部材１３２が、中間部分１３４だけでなく、あらかじめ選んだ缶や瓶に対しても、圧縮を加えて密閉することができる。即ち、内側容器１３０を缶または瓶に取り替えられるように、外側容器１３６を改造する。これには、缶や瓶に係合するために、密閉部材１３２を内側に延びる大きな曲げ易いものにするか、外側容器１３６を外側に拡げて、標準の大きさの氷片が、缶または瓶と外側容器１３６の間に入るようにする必要がある。その場合は、必要があれば、缶または瓶を支えるための１以上の支えを付けることができる。
【００４１】
図２０の案では、内側容器１３８と外側容器１４０が夫々ねじ山１４２と１４４を持って、図２１のように干渉し合う場合を示す。そこでは、内側容器１３８から出る下向きの延長部１４６に干渉溝１４８を付け、その中に、外側容器１４０の上向きの延長部１５０を適合させる。このようにして、外側容器１４０に氷を入れた後、内側容器１３８を回転して、外側容器１４０の中に挿入し空間１５２を密閉する。また別の案では、外側容器１３６と１４０が発泡性の物質で作られ、密閉部材１３２が内側面上の畝（うね）のある面に塗られる。畝のある面は、実質的に刃型のような面と同じような働きをする。
【００４２】
図２２は空間１４１の中の氷片が、下部分１３５の周り及び下に分布する様子を示す断面図である。図２３はねじ山１４２、１４４の結合と摩擦による嵌合を示す。結合は摩擦だけで密閉することもできるが、その場合は、後に述べるような空気抜きの溝が中間部分１３４に設けられる。内側容器１３０は、外側容器１３６の上端１３９と上部分１３１の下端１４３の係合によって、図１９に示されるように、外側容器１３６の内側に支えられることが望ましい。指示線１３７は内側容器が挿入される前に、外側容器１３６、１４０にどの位の量の氷をいれるかの目安を与えるもので、それにより、望みとあれば、空間１４１、１５２を実質的に満たすのによい正確な量の氷を使用することができる。下部分１３５にたての裂け目１４５を作って、空間１４１が氷に接する面をより多くすることが望ましい。また下部分１３５を細くして、標準の大きさの氷片が蓄えられるように、空間１４１、１５２を最大にすることが望ましい。
【００４３】
これらの飲料容器の実施例は、マグやカップが通常作られるのと同じ材質で作られることが望ましい。例えば、外側容器１３６、１４０はプラスチック、ステンレス鋼、セラミック、ガラスなどで作ることができ、断熱性のある材質で作ることが望ましい。それらはまた、、比較的厚く作るか、二重の壁を持たせることができる。他方、内側容器１３０、１３８は、比較的薄いことが望ましく、プラスチックやアルミまたはその他の熱を伝え易い材質で作り、何れも鋳造または他の普通の方法で作ることができる。
【００４４】
図２６乃至図２８はスポーツ飲料用瓶の実施例を示す。それは、瓶のような形の内側容器１５３と、大きなカップに似た外側容器１６５から成り、内側容器には蓋１５５があって、その上は開いていてストロー１５７が入るようになっている。内側容器１５３には、上部分１５９、中間部分１６１と下部分１６３があり、それらが少なくとも部分的に外側容器１６５に挿入されて、下部分１６３と外側容器１６５の間に空間１６０を作り、そこに標準の大きさの氷片を蓄えて密閉することが望ましい。
【００４５】
中間部分１６１は、内側容器の外表面１６２に適応して、外側容器１６５の内表面１６４に係合して密閉することが望ましい。密閉部材が提供されることが望ましいが、内側容器１５３と外側容器１６５が適合し合って、内側容器１５３を外側容器１６５に挿入したとき、中間部分１６１と内表面１６４の間に摩擦が生じ、図２８に示されるように、空間１６０が実質的に密閉されることが望ましい。その場合、上部分１５９の下端１５６のすぐ下まで延びた、少なくとも１つの空気抜きの溝１５８を、中間部分１６１の上に作ることが望ましい。内側容器１５３が外側容器１６５の中で、下の方に下げられる間は、溝１５８は開いているが、外側容器１６５の上端１５４が下端１５６に接するときには、内表面１６４と外表面１６２の係合によって溝１５８は閉じられる。図２７乃至図２８に示されるように、さね（tongue）や溝による結合で、もっと堅固な結合を作ることもできる。
【００４６】
下部分１６３は細くして、裂け目１６９を入れ、空間１６０を必要なだけ大きくすることが望ましい。上部分１５９の下端１５６は、中間部分１６１よりは外側に延び、外側容器１６５の上端１５４に係合して、内側容器１５３を留めることが望ましい。ここに、下部分１６３は中間部分１６１より細く、中間部分１６１は上部分１５９より細く作ることが望ましい。指示線１６６は、どの位の量の氷を使うかを示すためのものである。ストロー１５７は、図２８にあるように、最も冷えている下部分１６３から飲料を吸い出すことができる。内側容器１５３と外側容器１６５はＨＤＰＥ（高密度ポリエチレン）のようなプラスチックか何か普通の材質で作ることが望ましい。
【００４７】
以上の議論は、好ましい実施例とその特色を示したものであるが、ここでは特に述べられていないが、ここで意図される目的に合うような働きをする、如何なる他の実施例や特色も、本発明の範疇に属するものであると理解すべきである。
【図１】
2005536705.tif 000003
【図２】
2005536705.tif 000004
【図３】
2005536705.tif 000005
【図４】
2005536705.tif 000006
【図５】
2005536705.tif 000007
【図６】
2005536705.tif 000008
【図７】
2005536705.tif 000009
【図８】
2005536705.tif 000010
【図９】
2005536705.tif 000011
【図１０】
2005536705.tif 000012
【図１１】
2005536705.tif 000013
【図１２】
2005536705.tif 000014
【図１３ａ】
2005536705.tif 000015
【図１３ｂ】
2005536705.tif 000016
【図１３ｃ】
2005536705.tif 000017
【図１４】
2005536705.tif 000018
【図１５】
2005536705.tif 000019
【図１６ａ】
2005536705.tif 000020
【図１６ｂ】
2005536705.tif 000021
【図１７】
2005536705.tif 000022
【図１８】
2005536705.tif 000023
【図１９】
2005536705.tif 000024
【図２０】
2005536705.tif 000025
【図２１】
2005536705.tif 000026
【図２２】
2005536705.tif 000027
【図２３】
2005536705.tif 000028
【図２４】
2005536705.tif 000029
【図２５】
2005536705.tif 000030
【図２６】
2005536705.tif 000031
【図２７】
2005536705.tif 000032
【図２８】
2005536705.tif 000033
【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材と、
前記瓶と係合し、前記瓶が前記容器内で回転するのを実質的に防ぐようになっていて、前記容器内部上にある１以上の支えとを備え、
内部に前記瓶を有した状態の前記容器がその上の前記蓋で実質的に密閉されたとき、前記密閉部材が前記肩部分に押しつけられて、前記冷却器は実質的に密閉され、さらに前記空間が実質的に密閉されるようになっていることを特徴とする冷却器。
【請求項２】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材と、
前記容器内部上にある前記１以上の支えは、前記瓶が前記容器内で回転するのを実質的に防ぐために、前記瓶上に設けられた１以上の溝および／またはくぼみに嵌合するようになっており、
内部に前記瓶を有した状態の前記容器がその上の前記蓋で実質的に密閉されたとき、前記密閉部材が前記肩部分に押しつけられて、前記冷却器は実質的に密閉され、さらに前記空間が実質的に密閉されるようになっていることを特徴とする冷却器。
【請求項３】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材とを備え、
前記容器が第１および第２の壁を有する二重壁構造を有するようになっており、前記瓶に係合し、前記瓶を前記容器内の実質的に固定された位置に保持するための１以上の支えが前記第１の壁に与えられており、
内部に前記瓶を有した状態の前記容器がその上の前記蓋で実質的に密閉されたとき、前記密閉部材が前記肩部分に押しつけられて、前記冷却器は実質的に密閉され、さらに前記空間が実質的に密閉されるようになっていることを特徴とする冷却器。
【請求項４】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材とを備え、
前記容器および前記蓋が成形プラスチック製であり、それらがそれぞれ、ねじ山部分を有しており、これによって前記蓋を前記容器上に締め付けることができ、
前記瓶を支えるために、前記容器内部上に設けられた１以上の支えを備え、
前記冷却器は、前記瓶が前記冷却器内にある状態で、前記容器上の前記蓋で実質的に密閉され、前記瓶が前記冷却器内の実質的に固定された位置に保持され、前記密閉部材が前記肩部に実質的に密閉されていることを特徴とする冷却器。
【請求項５】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材とを備え、
前記容器は、底に近い部分が細くなっており、これによって従来のカップホルダー内に嵌合させることができ、
前記瓶を、前記容器の前記底に近い部分より上の所定の場所で支えるようになっている１以上の支えを有していることを特徴とする冷却器。
【請求項６】  飲料瓶を保持するための冷却器であって、
氷片を蓄えるための空間が前記瓶との間に形成されるように前記瓶を保持するようになっており、且つ前記瓶と直接接触する容器と、
前記容器の上を実質的に密閉するようになっていて、しかも前記瓶の首の部分を延在させることができる開き口を有する蓋と、
前記瓶の肩部分に押しつけられるようになっていて前記蓋上にある密閉部材とを備え、
前記瓶と係合し、支えるための前記容器内に設けられた１以上の支えを備え、前記１以上の支えが、前記瓶の側面を支えるための複数の部材と、前記飲料瓶上に設けられた溝および／またはくぼみに嵌合するようになっているばねとを備えており、
前記冷却器は、前記瓶が前記冷却器内にある状態で、前記容器上の前記蓋で実質的に密閉され、前記瓶が前記冷却器内の実質的に固定された位置に保持され、前記密閉部材が前記肩部に実質的に密閉されていることを特徴とする冷却器。
【請求項７】  飲料瓶を保持するための容器であって、
前記瓶を前記容器内に少なくとも部分的に挿入できる開き口を有する上部分と、
前記瓶を前記容器内の所定の位置に置いたときに、前記瓶と直接接触し、氷片を蓄えるための空間が前記容器と前記瓶との間に形成されるようになっている中間部分と、
前記瓶と前記所定の位置で係合して前記瓶を支え、同時に、前記氷片を前記瓶と直接接触させるための１以上の支えを備える下部分とを備え、
前記上部分、中間部分、および下部分を含む前記容器と、前記１以上の支えとが、実質的に均一な壁の厚さを有することを特徴とする容器。
【請求項８】  飲料瓶を保持するための容器であって、
前記瓶を前記容器内に少なくとも部分的に挿入できる開き口を有する上部分と、
前記瓶を前記容器内の所定の位置に置いたときに、前記瓶と直接接触し、氷片を蓄えるための空間が前記容器と前記瓶との間に形成されるようになっている中間部分と、
前記瓶と前記所定の位置で係合して前記瓶を支え、同時に、前記氷片を前記瓶と直接接触させるための１以上の支えを備える下部分とを備え、
前記容器が、前記瓶を前記容器内に挿入する前に前記容器に入れる氷の量を示すための表示を有することを特徴とする容器。
【請求項９】  所定の大きさおよび形の飲料瓶を保持するための冷却器を作る方法であって、
前記瓶の大きさおよび形を測定および／または走査する、または前記瓶を特有の大きさおよび形を有するように構成するステップと、
前記瓶を前記容器内に少なくとも部分的に挿入できるようになっている口が開いた容器を形成するステップと、
氷片を蓄えるための空間が前記容器と前記瓶との間に形成されるように前記容器を形成するステップと、
前記容器上に実質的に密閉されるようになっており、それを通して前記瓶の首の部分を延在させることができる開き口を有する蓋を形成するステップと、
前記瓶の肩部分に押しつけられ、実質的に密閉されるようになっている密閉部材を形成するステップと、
前記容器の内部上に前記瓶と係合して支えるための１以上の支えを形成するステップとを含み、
前記蓋が前記容器上に締め付けられ、前記瓶が前記密閉部材と支えとの間に置かれたとき、前記瓶が前記冷却器内の実質的に固定された位置に保持され、前記密閉部材によって前記瓶に加えられる圧力が、前記空間を実質的に密閉するのに役立つように、前記密閉部材、前記１以上の支え、およびそれらの間の距離を構成することを特徴とする方法。
【請求項１０】  所定の大きさおよび形の飲料瓶を保持するための冷却器を作る方法であって、
前記瓶の三次元画像を走査するステップと、
前記瓶と直接接触し、氷片を蓄えるための空間が前記容器と前記瓶との間に形成されるように、所定の場所で前記瓶を保持するための、口が開いた容器を設計するために前記画像を用いるステップと、
それを通して前記瓶の首の部分を延在させることができる開き口と、前記瓶の肩部分に押しつけられ、実質的に密閉されることができる密閉部材とを有する蓋を設計するために前記画像を用いるステップとを含み、
前記容器の内部上に前記瓶と係合し支えるための１以上の支えを設計するために前記画像を用い、前記瓶が前記容器内にある状態で、前記蓋が前記容器上に締めつられ、実質的に密閉されたときに、前記瓶が前記密閉部材と支えとの間に実質的に保持され、前記密閉部材によって前記瓶に加えられる圧力が、前記空間を実質的に密閉するのに役立つように、前記１以上の支えを設ける場所を予め決定することを特徴とする方法。
【請求項１１】  前記１以上の支えが、以下の特徴からなるグループから選ばれた１以上の特徴を含む、請求項１，２，３，４，５，６または１２に記載の冷却器、請求項７または８に記載の容器、あるいは請求項９，１０または１２に記載の方法、
１）前記容器内で内側に延在する１以上の部材、
２）前記容器上のくぼみ（indentation）として内側に延在する１以上の部材、
３）前記容器のフロアーから上方へ延在する１以上の部材、
４）前記フロアーに取り付けられている１以上の取り外し可能な部材、
５）前記フロアーから上方に延在する１以上のコイルばね、
６）前記瓶を中心に固定するための複数の部材、
７）底に近い部分が細くなっており、従来のカップホルダーに嵌合する状態で、前記瓶を前記フロアーの上に支えるための複数の部材、および
８）前記瓶の底上の１以上の溝および／またはくぼみに嵌合する１以上の部材。
【請求項１２】  前記密閉部材が、以下の特徴からなるグループから選ばれた１以上の特徴を含む、請求項１、２、３、４、５、６または１１に記載の冷却器、請求項７または８に記載の容器、あるいは請求項９、１０または１１に記載の方法、
１）前記瓶の前記肩部分と係合し、押しつけられるために、比較的下方および内側に延在する部分、
２）１以上のひだ様または羽根様の（rib or blade-like）表面、
３）前記瓶が、表面がでこぼこで、寸法がぴったりでないにもかかわらず、液密な密閉部材を形成するのに十分な厚さ、
４）前記蓋にはめ込むようになっている、内側に出ている（inner lipped）フランジ、
５）前記蓋上の突起に固定されている部分、
６）接着、融合、溶接またはその他の方法で付着させた部分、
７）前記肩部分に密閉されることができる第１部分、および前記密閉部材が異なる大きさおよび／または形を有する異なる瓶の肩部に密閉されるのを防ぐことができる１以上の開き口を有する第２部分。
【国際調査報告】
2005536705.tif 000034